(57)【要約】      （修正有）【課題】生体内に広範囲に電界を誘起し、電子密度を高めることが可能な治療具を提供する。【解決手段】生体表面に近接または接触して導体層４を設け、これに化学半電池の電解質２または化学電池の正電極または負電極を接触させ、この状態で化学半電池の電極３または化学電池のもう一方の電極を外部と電気的に絶縁するために粘着フイルム、絶縁テープ、高分子材料製の網または高分子材料製の膜６で覆い、同時に生体表面の導体層に化学半電池または化学電池を固定させた構造とする。【選択図】図２
0003145148.tif 000002
【実用新案登録請求の範囲】
【請求項１】
生体の表面に近接または接触したマグネシウム、アルミニウム、亜鉛、鉄、チタン、ニッケル、錫、クローム、銅、銀、白金、金、導電性高分子、黒鉛シートまたは炭素塗布シートから選択された１種類の導体または２種類以上の導体を含むシート状の電極（以下、生体表面電極という）が、その表面または裏面において化学半電池の電解質、化学電池の正電極または化学電池の負電極と接しており、化学半電池の電極または生体表面電極と接していない化学電池のもう一方の電極が、粘着フイルム、絶縁テープ、高分子材料製の網または高分子材料製の膜で覆われて、電気的に外部と絶縁された状態で、生体表面電極上に固定されている構造を持った、生体に電界を誘起し、生体内の電子密度を高めて疾病の予防及び治療を行うための治療具。
【請求項２】
請求項１記載の生体表面電極の寸法および面積が、この生体表面電極と接する化学半電池または化学電池の電極の有効寸法および有効面積以上に大きいことを特徴とする請求項１記載の治療具。
【請求項３】
請求項１記載の化学半電池が、第一層が、マグネシウム、アルミニウム、亜鉛、鉄、チタン、ニッケル、錫、クローム、銅、銀、白金、金、導電性高分子、黒鉛シートまたは炭素塗布シートから選択された、生体表面電極とは異種の１種類の導体または２種類以上の導体を含む層からなる電極となり、第二層が電解質を含む紙、不織布、織り布、高分子電解質膜、電解質透過膜、コラーゲン、ゼラチン、膠、カゼイン、吸水性高分子ゲルまたは保水保湿性乳化混合物から選択された１種類または２種類以上の物質を含む電解質層からなる二層構造の積層構成物であることを特徴とする請求項１記載の治療具。
【請求項４】
請求項１記載の化学電池が、第一層がマグネシウム、アルミニウム、亜鉛、鉄、チタン、ニッケル、錫、クローム、銅、銀、白金、金、導電性高分子、黒鉛シートまたは炭素塗布シートから選択された１種類の導体または２種類以上の導体を含む層からなる電極となり、第二層が電解質を含有する紙、不織布、織り布、高分子電解質膜、電解質透過膜、コラーゲン、ゼラチン、膠、カゼイン、吸水性高分子ゲルまたは保水保湿性乳化混合物から選択された１種類または２種類以上の物質を含む電解質層からなり、第三層がマグネシウム、アルミニウム、亜鉛、鉄、チタン、ニッケル、錫、クローム、銅、銀、白金、金、導電性高分子、黒鉛シートまたは炭素塗布シートから選択された、第一層とは異種の１種類の導体または２種類以上の導体を含む層からなるもう一方の電極となる三層構造の積層構成物であることを特徴とする請求項１記載の治療具。
【請求項５】
請求項１、請求項３または請求項４記載の炭素塗布シートが、粉状黒鉛またはカーボンブラックの単体または混合物をゼラチン、膠、カゼインまたは高分子材料を結合剤として紙、不織布、織り布、高分子材料製の網または有孔高分子材料製の膜に塗布乾燥した導電性のシートであることを特徴とする請求項１記載の治療具。
【請求項６】
請求項１記載の化学電池が、出力６ボルト以下のボタン型またはコイン型の乾電池であることを特徴とする請求項１記載の治療具。
【請求項７】
請求項１記載の治療具が、不織布、織り布または高分子材料製の網で覆われていることを特徴とする請求項１記載の治療具。
【請求項８】
請求項１記載の治療具が、生体表面、着衣類、履物類または装身具類に装着されて生体表面電極が、生体表面に近接または接触していることを特徴とする請求項１記載の治療具。
【請求項９】
請求項１記載の治療具が、生体表面との間に薬効性の薄層を介在していることを特徴とする請求項１記載の治療具。
【考案の詳細な説明】
【技術分野】
【０００１】  本考案は、化学電池を電源として生体に電界を誘起し、生体内の電子密度を高め、疾病の予防及び症状の改善を行うための治療具に関する。
【背景技術】
【０００２】  直流電気治療の電源は整流器を用いて交流を直流に変換する方式、直流発電機を用いる方式、あるいは化学電池を用いる方式が有る。この中で化学電池を用いる方式は、アルミニウム、亜鉛、銅、銀などの金属材料または炭素材料などの導体から２種類の物質を選び、電解質を介在させて負電極から電子を放出させ、この電子を電気として利用するものである。電子は負電極から生体を経由して正電極に到達し電極付近の正電荷によって中和されることになる。この様にして電気治療では、正電極と負電極を生体表面に近接して配置し、その電極間に電気を流して生体を刺激して痛みなどを改善する事や、電気泳動現象を利用して薬物を生体内に送り込む事を行っている。これらの電気治療は交流電気を利用するものが多く、直流を利用するものは比較的少ない。最近では、ガンの患部に白金電極を刺し、２〜１０ボルトの直流電気を通電して治療を行う事も始められている。この時も、正負両電極を生体に配置しており、正電極と負電極間に電気回路を形成させている。しかし電気治療は多くの場合、病院や治療院など特定の場所に出向き治療を受けることになっており、家庭などで簡単に治療を行うことは出来ない。【０００３】  ガンを始め多くの生活習慣病は活性酸素が主原因であるとされている。活性酸素は、分子内に電子不足状態の酸素を含む一連の化合物である。この活性酸素対策としては、各種抗酸化剤が発表され市販されているが、いずれも経口摂取させるもので、消化管を通る間に失効し十分な効果を上げることが出来ないのが現状である。外部から電子を送り込み電子を直接作用させて活性酸素の電子不足状態を解消させる事が出来れば、最良の抗酸化剤となるが、現状はビタミンＣ、ビタミンＥあるいはポリフエノールのような主に動植物由来の有機化合物を抗酸化剤として経口摂取する方法しかない状況となっている。
【特許文献１】特公  昭５５−３０３６５  防臭、脱臭及び水虫予防用中敷き
【特許文献２】特開  昭６０−１６５９６０シート状電池を用いた治療方法及び治療具
【特許文献３】特開  平３−２６８７６８  足面治療用フイルム
【非特許文献１】日本医事新報；Ｎｏ．３７８４  伊藤勝基  微弱直流電流通電療法による癌治療の可能性  （平成８年１１月２日）
【非特許文献２】直流電流通電治療機器メーカ、シンノオル社、エルホト社、トリカーブロ社、カブラキ医療商事などのホームページ
【考案の開示】
【考案が解決しようとする課題】
【０００４】  従来の電気治療の様に、正電極と負電極間に電気回路を形成して行う生体の限定された狭い範囲の治療ではなく、生体の広い範囲にわたって電子密度を高めることが日常的に可能な治療具を開発する事。
【課題を解決するための手段】
【０００５】  本考案は、生体の表面に近接または接触したマグネシウム、アルミニウム、亜鉛、鉄、チタン、ニッケル、錫、クローム、銅、銀、白金、金、導電性高分子、黒鉛シートまたは炭素塗布シートから選択された１種類の導体または２種類以上の導体を含むシート状の生体表面電極が、その表面または裏面において化学半電池の電解質、化学電池の正電極または化学電池の負電極と接しており、化学半電池の電極または生体表面電極と接していない化学電池のもう一方の電極が、粘着フイルム、絶縁テープ、高分子材料製の網または高分子材料製の膜で覆われて、電気的に外部と絶縁された状態で、生体表面電極上に固定されている構造を持った、生体に電界を誘起して、生体内の電子密度を高めて疾病の予防及び治療を行うための治療具に関するもので、これによって課題を解決するものである。
生体表面電極は、化学半電池の電極または化学電池の電極より寸法および面積が同じか、それ以上の大きさとする。これによって、生体内で分極が生じ電界が広範囲に広がり、小さな化学半電池または化学電池で大きな面積の電界効果が得られることになる。ここで電池の電極設計上または電池組み立て加工上の理由から生じる寸法または面積は、有孔寸法または有孔面積には含まないものとする。【０００６】  この治療具の大きな特徴は、生体表面電極と反対側に位置する化学半電池または化学電池の電極が粘着フイルム、絶縁テープ、高分子材料製の網または高分子材料製の膜によって外部と電気的に絶縁されているために、外部と電気回路が形成されていない点である。多少の漏えい電流は生じているものと考えられるが、実測の結果では、その値は１ｍＡ以下であった。本考案の治療具は、電流は殆ど流れることは無く、従って電池の消耗が少なくなり、治療具の持つ電位によって生体内に電界を誘起し電子密度を高めることが可能となる。【０００７】  電気回路による場合は、負電極から正電極に向かって電子が流れるために回路となる所は負電位となるが、生体表面電極は、化学半電池と接触した場合は化学電池となり、化学半電池の電極と反対の極性を示す。また化学電池と接触する場合は、生体表面電極は接触している化学電池の電極と同じ極性の電位を持つことになる。一方、この生体表面電極と接触する生体面は生体表面電極と逆電位を示し、生体内で分極し電界を誘起している事が実測の結果わかった。その電界は、生体のほぼ全域で広範囲に観測された。【０００８】  化学半電池は、第一層が、マグネシウム、アルミニウム、亜鉛、鉄、チタン、ニッケル、錫、クローム、銅、銀、白金、金、導電性高分子、黒鉛シートまたは炭素塗布シートから選択された、生体表面電極とは異種の１種類の導体または２種類以上の導体を含む層からなる電極となり、第二層が電解質を含む紙、不織布、織り布、高分子電解質膜、電解質透過膜、コラーゲン、ゼラチン、膠、カゼイン、吸水性高分子ゲルまたは保水保湿性乳化混合物から選択された１種類または２種類以上の物質を含む電解質層からなる二層構造の積層構成物である。化学半電池の電解質層と生体表面電極が接触した時は、化学半電池は化学電池となる。【０００９】  化学電池は、第一層がマグネシウム、アルミニウム、亜鉛、鉄、チタン、ニッケル、錫、クローム、銅、銀、白金、金、導電性高分子、黒鉛シートまたは炭素塗布シートから選択された１種類の導体、または２種類以上の導体を含む層からなる電極となり、第二層が電解質を含む紙、不織布、織り布、高分子電解質膜、電解質透過膜、コラーゲン、ゼラチン、膠、カゼイン、吸水性高分子ゲルまたは保水保湿性乳化混合物から選択された１種類または２種類以上の物質を含む電解質層からなり、第三層がマグネシウム、アルミニウム、亜鉛、鉄、チタン、ニッケル、錫、クローム、銅、銀、白金、金、導電性高分子、黒鉛シート、または炭素塗布シートから選択された、第一層とは異種の１種類の導体または２種類以上の導体を含む層からなるもう一方の電極となる三層構造の積層構成物である。【００１０】  炭素塗布シートは、全て粉状黒鉛またはカーボンブラックの単体または��合物をゼラチン、膠、カゼイン、または高分子材料を結合剤として紙、不織布、織り布、高分子材料製の網または有孔高分子材料製の膜に塗布乾燥した導電性のシートである。【００１１】  化学電池としては、市販のボタン型乾電池またはコイン型乾電池も使用可能である。出力は６ボルト以下のもので良い。この場合、正電極と負電極は近接しているので、両極間の絶縁に配慮し、両極の境界に絶縁テープを貼るなどの処置を施す事が好ましい。【００１２】  本考案の治療具は、露出面を不織布、織り布または高分子材料製の網で覆って保護し、生体の運動や外力による損傷を防ぐ。特に生体表面と接する面の露出した金属や炭素を保護しておく事が好ましい。【００１３】  本治療具を生体に装着する方法は、生体に粘着テープやマジックテープ、専用の帯などの取り付け具を用いて足裏、足首、太腿、腰部、腹部、胸部あるいは頭部などの患部や動脈近くに直接装着するほか、着衣類、履物類または装身具類に取り付けて行う。着衣類、履物類または装身具を形成する繊維や網を導電性高分子や炭素塗布シートの基材として生体表面電極とする事も可能である。
本治療具を生体に装着する時に、解熱剤、鎮痛剤、傷治療剤、皮膚剥離剤または各種治療薬などの薬効性の薄層を介在させても、生体内の電界発生には影響は見受けられないので、即効性を求める時には、この方法を採用する事が好ましい。
【考案の効果】
【００１４】  本考案の治療具は、腰に装着すると腰痛および関節痛が消失し、老人にあっては夜間の排尿が一晩に一回前後に改善される。排便では、便秘および下痢がほとんど解消し、毎日定期的に排泄するようになる。長期間寝込む病人の床ずれにも有効である。
胸当に装着する時は、歩く時に起こる息切れや階段の上り下りも気にならなくなる。肋間神経痛も起こり難くなる。胸やけもほぼ起こらなくなる。胆管結石の苦痛も緩和される症例が得られている。頭部では、抜け毛が少なくなり、発毛も見受けられる。
このような、従来の直流電気療法では達成されなかった症例の改善に加えて、構造が簡易化されて、装着時の生活の質的向上が達成された。治療具の原価低減効果も大きく、安価な価格で購入することが可能になった。
この本考案の治療具の効果は、化学電池が誘起する電界によって生体内の電子密度が広範囲に高まり、全身的に抗酸化作用が発現して活性酸素を消滅させると同時に、低下した膜電位も回復させ細胞の活動を正常化するためとみられる。
治療具は、生体表面電極が面積の主要な部分を占めるシート状のもので、日常的に生体に違和感なく装着可能である。
従来の電気治療器は、正電極と負電極の間に電気回路が形成されるだけであり、本考案に見られるような生体内に電界を広範囲に誘起する事は出来なかった。
【考案を実施するための最良の形態】
【００１５】  具体的な実施例によって説明する。
生体表面電極は、１１号木綿帆布の両面に、黒鉛塗料（例えば日本黒鉛（株）製バニーライトＬ−１３）をステンレス鋼製刃渡り３ｃｍ、厚さ０．５ｍｍのヘラを用いて固形分がほぼ５０ｇ／ｍ２となるように塗布し、約１００℃で１５分乾燥し製造する。塗布厚さは、見かけ上約０．１ｍｍであった。カーボンブラックを膠で溶いた塗料（例えば墨汁、固形分約７％）を代わりに用いても良い。
化学半電池は、アルミニウム箔（三菱アルミニウム（株）製、厚さ０．０１２ｍｍ）にキッチンタオル（大王製紙（株）製）を敷き、これに含水率５０％の高分子吸水ゲル（パール金属（株）製クールタイム）を厚さ０．２ｍｍにヘラで塗布したものを用いる。あるいはアルミニウム箔に高分子電解質膜（例えば積水化成品（株）製テクノゲル、ＣＲタイプ、厚さ０．５ｍｍ）を積層したものも、液状の電解質を使わないので液漏れや乾燥による出力変動が少なく、装着時も違和感が少なく好ましい。これで化学半電池となる。アルミニウム箔の代わりに、マグネシウム箔（三菱製鋼（株）製、厚さ０．２ｍｍ）を使用しても良い。
化学電池は、上記化学半電池の電解質面に異種の導体を電極として接触させれば良い。この電極としては、銅箔（日本電解（株）製、ＦＲ−４用、厚さ３０ミクロン）が良い。アルミニウム電極では約６００ｍＶ、マグネシウム電極では約１０００ｍＶ以上の高い出力を得る事が出来る。
化学半電池または化学電池の大きさは、１０〜２０ｍｍの寸法が使いやすい。この時の生体表面電極は辺の長さを２０ｃｍ前後の長方形とする事が可能である。マグネシウム電極を化学電池として用いた時は、付近の生体は、約１５０ｍＶの電界を示す。その値は生体表面電極の電位と逆の極性を示す。即ち、生体表面電極が負の時は正、正の時は負の値となる。
化学半電池または化学電池は、生体表面電極に粘着フイルム（日東電工（株）製両面粘着テープ）またはホットメルトタイプフイルム状接着剤（日本マタイ（株）製エルフアンＮＴ）によって固定する事が好ましい。これによって外部との電気絶縁も達成できる。
上記の積層構造の治療具は、足裏、腹部、頭部など生体表面に医療用テープを用いて貼るのが良い。この時、医療用テープは生体表面電極と接していない電極を外部と絶縁する役割を兼ねることができる。関節痛などの痛みのある所は、患部近くに貼る。足裏は正、その他の所は負の電極を基本とする。筋肉痛などの局部的な小面積の患部は、正の電極を生体表面に接触させると即効性が有る事が分かっている。
医療用テープで貼る事以外に、腹巻きや胸当て、靴、靴下、帽子などの着衣類や履物類、装身具にマジックテープなどで取り付けることもできる。
【産業上の利用可能性】
【００１６】  電子を抗酸化物として用いる事および電界効果によって体内に取り込む事は世界で初めての試みである。費用対効果に優れた生活習慣病予防策として大きな産業になると考えている。
【図面の簡単な説明】
【００１７】
【図１】２層の積層構成物からなる化学半電池を生体表面電極表面に取り付けた場合の断面構成説明図である。
【図２】３層の積層構成物からなる化学電池を生体表面電極表面に取り付けた場合の断面構成説明図である。
【図３】２層の積層構成物からなる化学半電池を生体表面電極裏面に取り付けた場合の断面構成説明図である。
【図４】３層の積層構成物からなる化学電池を生体表面電極裏面に取り付けた場合の断面構成説明図である。
【符号の説明】
【００１８】  １    化学半電池または化学電池の電極。
２    化学半電池または化学電池の電解質層。
３    化学電池の電極。
４    生体表面電極。
５    生体表面。
６    電極と外部の電気絶縁及び位置の固定のための粘着フイルム、絶縁テープ、高分子材料製の網または高分子材料製の膜。
７    露出部の表面保護層。
【図１】
0003145148.tif 000003
【図２】
0003145148.tif 000004
【図３】
0003145148.tif 000005
【図４】
0003145148.tif 000006